(57)【要約】【課題】人体の正面や背面、及び側面からの視認性が高く、低コストで簡易な構成の発光機能付き衣服を提供することを目的とする。【解決手段】本発明の実施の形態に係るＬＥＤ付き夜光ベスト１は、メッシュ状のベスト本体、光反射機能を有する反射部材２０、縦置きＬＥＤ素子３０−１、横置きＬＥＤ素子３０−２、電源・回路装置５０、配線６０を有している。ＬＥＤ素子３０は、ＬＥＤ付き夜光ベスト１の正面及び背面に設置され、縦置きＬＥＤ素子３０−１は、ＬＥＤ付き夜光ベスト１の表面に垂直な方向に光を放出するように構成され、横置きＬＥＤ素子３０−２は、ＬＥＤ付き夜光ベスト１の表面に平行であって、装着者の側面方向外側に向けて光を放出するように構成されている。【選択図】  図１
2004308050.tif 000002
【特許請求の範囲】
【請求項１】
複数の発光ダイオード部材を備えた発光機能付き衣服であって、
前記複数の発光ダイオード部材は、前記発光機能付き衣服の前面及び背面の少なくとも一方に設置された発光ダイオード部材であって、衣服表面に対して垂直に光を放出するように構成・設置された縦置き発光ダイオード部材と、衣服表面に平行且つ衣服装着者の側面方向外側に向けて光を放出するよう構成・設置された横置き発光ダイオード部材との双方を含んでいることを特徴とする発光機能付き衣服。
【請求項２】
前記横置き発光ダイオード部材は、前記装着者の左側面方向外側に向けて光を放出するよう構成・設置された第１の横置き発光ダイオード部材と、前記装着者の右側面方向外側に向けて光を放出するよう構成・設置された第２の横置き発光ダイオード部材と、を含んでいることを特徴とする請求項１記載の発光機能付き衣服。
【請求項３】
前記複数の発光ダイオード部材は、基板、発光機能を有するＬＥＤチップを内蔵した透明樹脂部、及び前記基板及び透明樹脂部を接続する端子から構成され、
前記基板は、衣服表面に対して平行に設置され、
前記端子を折り曲げることで、前記透明樹脂部の光軸が前記基板表面に対して略平行になるよう構成されていることを特徴とする請求項１又は２記載の発光機能付き衣服。
【請求項４】
前記横向き発光ダイオード部材の端子は、折り曲げ可能なように、前記縦置き発光ダイオード部材の端子よりも長いことを特徴とする請求項３記載の発光機能付き衣服。
【請求項５】
前記横置き発光ダイオード部材は、前記透明樹脂部から衣服表面に対して平行に放出される光がけられないように、前記透明樹脂部を衣服表面に突出させて設置されていることを特徴とする請求項１乃至３の何れか１項に記載の発光機能付き衣服。
【請求項６】
前記衣服表面に突出して設置されている透明樹脂部を保護するための透明ケースをさらに備えていることを特徴としている請求項５記載の発光機能付き衣服。
【請求項７】
光反射部材をさらに備え、
前記複数の発光ダイオード部材は、前記光反射部材の裏側から該光反射部材に設けられた穴部に差し込んで設置されていることを特徴とする請求項１乃至６の何れか１項に記載の発光機能付き衣服。
【請求項８】
前記縦置き発光ダイオード部材は、前記反射部材表面側に大きく突出することを防止するため、前記透明樹脂部の光軸方向長さが、前記横向き発光ダイオード部材の透明樹脂部の光軸方向長さよりも短いことを特徴とする請求項７記載の発光機能付き衣服。
【請求項９】
複数の発光ダイオード部材と光反射部材とを備えた発光機能付き衣服であって、
前記複数の発光ダイオード部材は、前記発光機能付き衣服の前面及び背面に固定された光反射部材上に設置され、
前記複数の発光ダイオード部材は、衣服表面に対して垂直に光を放出するように構成・設置された縦置き発光ダイオード部材と、衣服表面に平行且つ衣服装着者の側面方向外側に向けて光を放出するよう構成・設置された横置き発光ダイオード部材との双方を含んでいることを特徴とする発光機能付き衣服。
【発明の詳細な説明】
【０００１】
【発明の属する技術分野】
本発明は、発光素子を取り付けられた衣服に関し、特に、夜間作業員等が安全のために着用する発光機能付き衣服に関する。
【０００２】
【従来の技術】
夜間の交通整理を行う警備員や警察官は、自身の存在を知らせて安全を図るために、ＬＥＤ（発光ダイオード）やＥＬ（エレクトロルミネッセンス）素子等による発光機能を備えた安全ベスト等を着用している。このような発光機能付きの安全ベストとしては、従来、下記特許文献に開示されたものが知られている。
【０００３】
下記特許文献１に開示されている安全ベストは、発光素子として発光ダイオードを用いたものである。この安全ベストは、発光ダイオードの光が光軸方向に集中し、光軸方向（すなわち、安全ベスト表面に垂直な方向）から見た場合には、輝度が高く視認性が良いが、光軸方向と直交する横方向から見た場合の視認性が悪い、という課題を解決するものである。このため、特許文献１に開示された安全ベストは、安全ベスト表面に貼付される反射テープに複数の透孔を形成し、これらの透孔にそれぞれ裏面側から発光ダイオードの先端部分を挿入して、反射テープの表側に突出させ、この突出した部分にワッシャー状の光拡散部材を嵌め込んで接着固定する構成を採用している。
【０００４】
また、下記特許文献２に開示されている安全ベストは、発光体としてＥＬ素子を用いたものである。この安全ベストは、従来の平面状のＥＬ素子では、発光素子の側面を発光させることは考慮されておらず、平面発光体を側面から見たときの視認性が充分でないという課題を解決するものである。このため、特許文献２に開示された安全ベストは、芯電極、芯電極の外周面に形成された発光層及び発光層の外周面に形成された透明電極層からなる線状のＥＬ発光素子を、光反射部材の表面に取り付ける構成を採用している。
【０００５】
このように、上記特許文献１及び２に記載の安全ベストでは、人体を側面方向から見た場合の視認性を高めている。
【０００６】
【特許文献１】
特開平９−２０９２０４号公報
【０００７】
【特許文献２】
特開平１１−１２８１５号公報
【０００８】
【発明が解決しようとする課題】
しかし、特許文献１記載の安全ベストでは、光拡散部材の反射により、側面方向への光量を高めているだけであり、まだ充分な視認性を得ることは困難である。また、特許文献２記載の安全ベストは、高価な発光素子であるＥＬ素子を用いており、たすき状等、複数箇所に発光素子を設置する必要のある安全ベストでは、非常にコストがかかってしまう。
【０００９】
ここで、指向性の高い発光素子であっても、安全ベストの腰部側面や袖の部分に発光素子を設置することで、人体の側面の視認性を高めるということも考えられるが、配線の通った袖は活動性に欠け、また、腰部側面の発光素子は手の動きで隠れたり、位置が低いため、それほど視認性を高めることはできない。
【００１０】
本発明は、このような課題に鑑みてなされたものであり、人体の正面や背面、及び側面からの視認性が高く、低コストで簡易な構成の発光機能付き衣服を提供することを目的とする。
【００１１】
【課題を解決するための手段】
上記課題を解決するために、本発明に係る発光機能付き衣服は、複数の発光ダイオード部材を備えた発光機能付き衣服であって、前記複数の発光ダイオード部材は、前記発光機能付き衣服の前面及び背面の少なくとも一方に設置された発光ダイオード部材であって、衣服表面に対して垂直に光を放出するように構成・設置された縦置き発光ダイオード部材と、衣服表面に平行且つ衣服装着者の側面方向外側に向けて光を放出するよう構成・設置された横置き発光ダイオード部材との双方を含んでいることを特徴とする。
【００１２】
【発明の実施の形態】
以下、図面を参照しながら本発明の実施の形態について詳細に説明する。
図１は、本実施の形態に係るＬＥＤ付き夜光ベスト１の正面斜視図、図２は、本実施の形態に係るＬＥＤ付き夜光ベスト１の正面図、図３は、本実施の形態に係るＬＥＤ付き夜光ベスト１の背面図である。
【００１３】
図１乃至図３に示すように、ＬＥＤ付き夜光ベスト１は、メッシュ状生地などで構成されるベスト本体１０、光反射機能を有する反射部材２０、縦置きＬＥＤ部材３０−１、横置きＬＥＤ部材３０−２、電源・回路装置５０、配線６０から構成されている。
【００１４】
ベスト本体１０は、胸の部分と脇腹から腰にかけての部分が大きく開放された形態となっている。また、図示は省略するが、腰回り部分の前部と両腰部は、「マジックテープ（登録商標）」等の面ファスナーにより着脱可能に構成されており、体格の異なる人に対しても、体にフィットさせて装着できるように構成している。
【００１５】
また、反射部材２０は、帯状になっており、ベスト本体１の表面に縫い付けて固定されている。図１乃至図３に示すように、反射部材２０は、ベスト本体１０の腰回り部分に設けられた腰回り部２１、ベスト本体１０前側の腰部から両肩を介して腰部の後側にかけて設けられている左右の前後面部２２，２３、及びベスト本体１０の背中部分で左側肩部から右側肩部にかけて前後面部２２，２３の左右の部分をつなぐように設けられている背中部分２４から構成されている。反射部材２０の腰回り部２１及び前後面部２２，２３には、縦置きＬＥＤ部材３０−１及び横置きＬＥＤ部材３０−２を設置するための小さな穴部が複数設けられている。腰回り部２１には、縦置きＬＥＤ部材３０−１のみが設置され、前後面部２２，２３には、縦置きＬＥＤ部材３０−１及び横置きＬＥＤ部材３０−２が、ほぼ交互に設置されている。
【００１６】
ＬＥＤ部材３０は、図示する所定の位置に、反射部材２０裏側から小さな穴部を通して表側に突出するように挿入された状態で固定されている。図１乃至図３において、円形に描かれているのが縦置きＬＥＤ部材３０−１、楕円形に描かれているのが横置きＬＥＤ部材３０−２である。
【００１７】
電源・回路装置５０は、図１に一点鎖線で示しているように、ベスト本体１０の前面腰部の裏面に固定されている。また、この電源・回路装置５０からＬＥＤ部材３０に電源を供給するための配線６０は、図１に二点鎖線で示すようにＬＥＤ部材３０の配列に沿って、反射部材２０の裏面に図示しない粘着テープ等で固定されている。
【００１８】
次に、図４は、縦置きＬＥＤ部材３０−１の設置状態を示す拡大図面であり、図４（ａ）は、図２に示すＬＥＤ付き夜光ベスト１の左胸部分のＡ−Ａ断面図、図４（ｂ）は、図４（ａ）の図中下側からＣ方向に見た状態を示す図面である。すなわち、反射部材２０の裏面側から見た図であるが、ベスト本体１０を除いた状態を図示している。
【００１９】
同図（ａ）に示すように、縦置きＬＥＤ部材３０−１は、発光機能を持つＬＥＤチップを内蔵する透明樹脂部３１が、電源を供給するための端子３２を介して基板３３上に固定される構成である。また、縦置きであるから、端子３２は基板３３表面に垂直に固定され、透明樹脂部３１もその発光方向である光軸が、基板３３に対して垂直になるように、端子３２を介して基板３３表面に垂直に固定されている。反射部材２０は、ベスト本体１０表面に縫い付けて固定されている。また、縦置きＬＥＤ部材３０−１が設置される部分の穴部には、縦置きＬＥＤ部材３０−１を覆うように透明ケース２５が設けられている。
【００２０】
また、反射部材２０と基板３３との間には、縦置きＬＥＤ部材３０−１の透明樹脂部３１が反射部材２０表面より大きく突出してしまうのを防止するために、所定の厚みを持った樹脂製ワッシャー３５が挿入されている。この樹脂製ワッシャー３５中心の穴は、基板３３の形状よりも小さく、且つ、透明樹脂部３１の光軸方向に垂直な断面形状よりも大きく形成されている。よって、基板３３は、樹脂製ワッシャー３５中心の穴を通過できないが、透明樹脂部３１は、この穴を通過して、反射部材２０の穴部に挿入される。そして、図示は省略するが、基板３３及び樹脂製ワッシャー３５は、粘着テープ等により、一緒に反射部材２０に固定されている。
【００２１】
このように、縦置きＬＥＤ部材３０−１の透明樹脂部３１は、反射部材２０に対して、垂直に設置される構成であるため、ＬＥＤ付き夜光ベスト１の表面から大きく突出するのを防止すべく、後述する横置きＬＥＤ部材３０−２の透明樹脂部３１よりも、その光軸方向の長さが短いものが用いられる。
【００２２】
また、図４（ｂ）に示すように、縦置きＬＥＤ部材３０−１に電源を供給するための配線６０が、基板３３に接続されており、この配線６０は、反射部材２０が延びる方向に沿って設置されている。この配線６０は、全てのＬＥＤ部材３０を経由して、電源・回路装置５０に接続されている。
【００２３】
なお、他の箇所の縦置きＬＥＤ部材３０−１についても、図４に示す構成と同じ構成を有している。よって、この縦置きＬＥＤ部材３０−１によれば、透明樹脂部３１の光軸方向がＬＥＤ付き夜光ベスト１の表面に垂直な方向になっており、ＬＥＤ部材３０が発光する光の大部分も、ＬＥＤ付き夜光ベスト１の表面に垂直な方向に放出される。
【００２４】
図５は、横置きＬＥＤ部材３０−２の設置状態を示す拡大図面であり、図５（ａ）は、図２のＬＥＤ付き夜光ベスト１の左胸面に位置する部分のＢ−Ｂ断面図、図５（ｂ）は、図５（ａ）の図中下側からＤ方向に見た状態を示す図面である。すなわち、反射部材２０の裏面側から見た図であるが、ベスト本体１０を除いた状態で図示している。
【００２５】
同図（ａ）に示すように、横置きＬＥＤ部材３０−２は、縦置きＬＥＤ部材３０−１と同様に、主に透明樹脂部３１、端子３２及び基板３３から構成されている。但し、横置きであるから、基板３３に対して垂直に固定された端子３２が途中で９０°折り曲げられ、その先に透明樹脂部３１が基板３３と平行になるように接続されて構成されている。このように折り曲げる構成であるため、横置きＬＥＤ部材３０−２の端子３２は、縦置きＬＥＤ部材３０−１の端子よりも若干長めの端子を用いている。また、端子３２を折り曲げる方向は、図中右方向（図１においても右方向）であり、横置きＬＥＤ部材３０−２の発光方向も図中右方向、すなわち、人体の側面方向外向きになる。
【００２６】
また、上述したように、反射部材２０は、ベスト本体１０表面に縫い付けて固定され、横置きＬＥＤ部材３０−１が設置される穴部には、透明樹脂部３１を保護するために、横置きＬＥＤ部材３０−２を覆うように透明ケース２５が設けられている。但し、横置きＬＥＤ部材３０−２では、横向きに設置された透明樹脂部３１からＬＥＤ付き夜光ベスト１の表面に平行に放出される光が、反射部材２０等によってけられないように、透明樹脂部２１の大部分が反射部材２０表面よりも表側に突出するように構成されているので、透明ケース２５の形状もこの構成にあわせて、縦置きＬＥＤ部材３０−１の場合よりも大きく膨らんで形成されている。
【００２７】
また、図５（ｂ）に示すように、この反射部材２０の穴部は、略楕円形に形成されており、その長軸方向（図５（ａ）の左右方向）は、基板３３表面に平行に設置される透明樹脂部３１を格納できるように、透明樹脂部３１の同方向の長さよりも長く形成されている。一方、その短軸方向は基板３３の大きさよりも短く形成されているので、基板３３は、反射部材２０の穴を通過できない。図示は省略するが、この基板３３が、粘着テープ等により、反射部材２０裏面側から、反射部材２０に貼り付けて固定されている。また、縦置きＬＥＤ部材３０−１の場合と同様に、横置きＬＥＤ部材３０−２に電源を供給するための配線６０が、基板３３に接続されており、この配線６０は、反射部材２０が延びる方向に沿って設置されている。
【００２８】
なお、他の箇所に設置されている横置きＬＥＤ部材３０−２の構成に関しては、図２に示す人体の左半分（図１中右側）の反射部材２３に設置されている横置きＬＥＤ部材３０−２は、図５と同様の構成である。一方、図２に示す人体の右半分（図１中左側）の反射部材２２に設置されている横置きＬＥＤ部材３０−２は、図５に示す構成と、端子３２を折り曲げる方向が１８０°逆になる（すなわち、図５中左方向に折り曲げられる）点が異なるが、その他の構成は図５に示した構成と同じである。したがって、全ての横置きＬＥＤ部材３０−２は、人体の側面方向外向きに光を放出するように構成・設置されることになる。
【００２９】
次に、このように構成された、ＬＥＤ付き夜光ベスト１の使用形態について説明する。
夜間の交通整理を行う警備員や警察官が、このＬＥＤ付き夜光ベスト１を着用し、電源・回路装置５０に設けられているスイッチをＯＮにすることで、ＬＥＤ発光素子３０が点滅を開始する。この点滅の間隔は、回路設計により適宜変更可能であるが、本実施の形態では、１秒周期で点滅を繰り返すように回路設計されている。この時、上述したように、縦置きＬＥＤ部材３０−１は、その光軸がＬＥＤ付き夜光ベスト１の表面に垂直となるように構成されているので、この縦置きＬＥＤ部材３０−１から放出される光は、主にＬＥＤ付き夜光ベスト１の表面に垂直な方向に放出される。一方、横置きＬＥＤ部材３０−２は、その光軸がＬＥＤ付き夜光ベスト１の表面と平行であって、このベストを装着する人体の側面方向外向きに照射面を向けるよう構成されているので、この横置きＬＥＤ部材３０−２から放出される光は、主にＬＥＤ付き夜光ベスト１の側面方向外向きに放出される。
【００３０】
以上、詳細に説明した本実施の形態に係るＬＥＤ付き夜光ベストは、この夜光ベストの正面及び背面に設置されたＬＥＤ部材であって、装着者の正面及び背面に向けて光を放出するＬＥＤ部材と、装着者の側面方向外側に向けて光を放出するＬＥＤ部材との双方を備えているので、人体の正面、背面及び両側面から、高い視認性を得ることができる。また、発光素子として、安価なＬＥＤ部材を使用しており、低コストで視認性の高い夜光ベストを提供することができる。
【００３１】
なお、本発明は、本実施の形態の構成に限られることなく、本発明の主旨を逸脱しない範囲内で、種々の変更が可能である。
【００３２】
例えば、縦置きＬＥＤ部材と横置きＬＥＤ部材の設置箇所は、適宜変更可能であり、腰回り部の反射部材に横置きＬＥＤ部材を設置するように構成しても良い。但し、人体両側面からの視認性を高めるためには、人体の両側面方向に、光を放出するように横向きＬＥＤ部材を設置することが望ましい。さらに、縦置きＬＥＤ部材及び横置きＬＥＤ部材は、ＬＥＤ付き夜光ベストの前面及び背面の両面に必ずしも設置される必要はなく、前面及び背面の少なくとも一方に設置されていれば良い。例えば、背面からの視認性は必要とされないケース等も考えられ、このケースでは、夜光ベストの前面にＬＥＤ部材が設置されていれば良いからである。
【００３３】
また、本体ベストの形状や、反射部材の設置位置も適宜変更可能である。もちろん、ベストだけでなく、ジャンパーのような衣服に対しても、本発明を適用可能である。
【００３４】
【発明の効果】
以上詳細に説明したように、本発明によれば、人体の正面や背面及び側面からの視認性が高く、低コストの発光機能付き衣服を提供することができる。
【図面の簡単な説明】
【図１】本発明の実施の形態に係るＬＥＤ付き夜光ベストの正面斜視図である。
【図２】本発明の実施の形態に係るＬＥＤ付き夜光ベストの正面図である。
【図３】本発明の実施の形態に係るＬＥＤ付き夜光ベストの背面図である。
【図４】本発明の実施の形態に係る縦置きＬＥＤ部材の設置状態を示す拡大図である。
【図５】本発明の実施の形態に係る横置きＬＥＤ部材の設置状態を示す拡大図である。
【符号の説明】
１        ＬＥＤ付き夜光ベスト
１０      ベスト本体
３０−１  縦置きＬＥＤ部材
３０−２  横置きＬＥＤ部材
３１      透明樹脂部
３２      端子
３３      基板
５０      電源・回路装置
６０      配線
【図１】
2004308050.tif 000003
【図２】
2004308050.tif 000004
【図３】
2004308050.tif 000005
【図４】
2004308050.tif 000006
【図５】
2004308050.tif 000007